(57)【要約】【課題】時間の経過に伴って変化する事象の推移の把握が容易な時計、情報表示装置、情報表示方法、情報表示プログラムを提供することを課題とする。【解決手段】現在時刻を表示する時刻表示部と、色相、彩度、明度の少なくとも一つが異なる色を表示可能であり並んだ複数の表示領域を含む表示部と、時間の経過に伴って変化する事象の、時間帯毎の状態を予想する数値情報を取得する取得部と、色相、彩度、明度の少なくとも一つを連続的に変化させた複数の色をそれぞれ前記複数の数値情報に数値順に関連付けし、前記複数の数値情報のそれぞれに対応した色を前記複数の表示領域に前記時間帯の順に表示させる制御部と、を備えた時計。【選択図】図４
2014085202.tif 000002
【特許請求の範囲】
【請求項１】
現在時刻を表示する時刻表示部と、
色相、彩度、明度の少なくとも一つが異なる色を表示可能であり並んだ複数の表示領域を含む表示部と、
時間の経過に伴って変化する事象の、時間帯毎の状態を予想する数値情報を取得する取得部と、
色相、彩度、明度の少なくとも一つを連続的に変化させた複数の色をそれぞれ前記複数の数値情報に数値順に関連付けし、前記複数の数値情報のそれぞれに対応した色を前記複数の表示領域に前記時間帯の順に表示させる制御部と、を備えた時計。
【請求項２】
前記時刻表示部は、時間の経過と共に移動する指針であり、
前記複数の表示領域は、前記指針の移動軌跡に沿って並んだ複数の目盛である、請求項１の時計。
【請求項３】
前記時刻表示部は、現在時刻を数字で表示する、請求項１の時計。
【請求項４】
前記複数の表示領域は、円状又は直線状に並んでいる、請求項１乃至３の何れかの時計。
【請求項５】
前記複数の表示領域にそれぞれ対応する複数の発光部を備え、
前記制御部は、前記複数の発光部の輝度を変更することにより、前記複数の表示領域に明度を連続的に変化させた複数の色を表示させる、請求項１乃至４の何れかの時計。
【請求項６】
前記数値情報は、曇量、降水確率、降雨量、降雪確率、降雪量、湿度、温度、紫外線指数、風速、熱中症危険度、電力使用率、花粉飛散量、の少なくとも一つの変化を予想する情報を含む、請求項１乃至５の何れかの時計。
【請求項７】
前記数値情報は、事象の発生する確率である、請求項１乃至６の何れかの時計。
【請求項８】
色相、彩度、明度の少なくとも一つが異なる色を表示可能であり並んだ複数の表示領域を含む表示部と、
時間の経過に伴って変化する事象の、時間帯毎の状態を予想する数値情報を取得する取得部と、
色相、彩度、明度の少なくとも一つを連続的に変化させた複数の色をそれぞれ異なる前記複数の数値情報に数値順に関連付けし、前記複数の数値情報のそれぞれに対応した色を前記複数の表示領域に前記時間帯の順に表示させる制御部と、を備えた情報表示装置。
【請求項９】
時間の経過に伴って変化する事象の、時間帯毎の状態を予想する情報を示す複数の数値情報を取得し、
色相、彩度、明度の少なくとも一つを連続的に変化させた複数の色をそれぞれ異なる前記複数の数値情報に数値順に関連付けし、
前記数値情報のそれぞれに対応した色を表示部に前記時間帯の順に並べて表示させる、情報表示方法。
【請求項１０】
時間の経過に伴って変化する事象の、時間帯毎の状態を予想する情報を示す複数の数値情報を取得し、
色相、彩度、明度の少なくとも一つを連続的に変化させた複数の色をそれぞれ異なる前記複数の数値情報に数値順に関連付けし、
前記複数の数値情報のそれぞれに対応した色を表示部に前記時間帯の順に並べて表示させる、処理をコンピュータに実行させる情報表示プログラム。
【発明の詳細な説明】
【技術分野】
【０００１】
本発明は、時計、情報表示装置、情報表示方法、及び情報表示プログラムに関する。
【背景技術】
【０００２】
特許文献１には、天気情報を表示可能な時計が開示されている。特許文献１の時計は、この時計に予め設けられた４種類の天気を示すマークのうち、その日の予想される天気を示すマークを点灯させる。
【先行技術文献】
【特許文献】
【０００３】
【特許文献１】特開平８−５７６１号公報
【発明の概要】
【発明が解決しようとする課題】
【０００４】
しかしながら、天気はその日の時間帯によっても変化する。特許文献１の技術では、ユーザは、時間帯毎に変化する天気の推移を容易に把握することはできない。このように、天気等のように時間の経過に伴って変化する事象の推移を、容易に把握することは困難であった。
【０００５】
そこで本発明は、時間の経過に伴って変化する事象の推移の把握が容易な時計、情報表示装置、情報表示方法、情報表示プログラムを提供することを目的とする。
【課題を解決するための手段】
【０００６】
上記目的は、現在時刻を表示する時刻表示部と、色相、彩度、明度の少なくとも一つが異なる色を表示可能であり並んだ複数の表示領域を含む表示部と、時間の経過に伴って変化する事象の、時間帯毎の状態を予想する数値情報を取得する取得部と、色相、彩度、明度の少なくとも一つを連続的に変化させた複数の色をそれぞれ前記複数の数値情報に数値順に関連付けし、前記複数の数値情報のそれぞれに対応した色を前記複数の表示領域に前記時間帯の順に表示させる制御部と、を備えた時計によって達成できる。
【０００７】
上記目的は、色相、彩度、明度の少なくとも一つが異なる色を表示可能であり並んだ複数の表示領域を含む表示部と、時間の経過に伴って変化する事象の、時間帯毎の状態を予想する数値情報を取得する取得部と、色相、彩度、明度の少なくとも一つを連続的に変化させた複数の色をそれぞれ異なる前記複数の数値情報に数値順に関連付けし、前記複数の数値情報のそれぞれに対応した色を前記複数の表示領域に前記時間帯の順に表示させる制御部と、を備えた情報表示装置によっても達成できる。
【０００８】
上記目的は、時間の経過に伴って変化する事象の、時間帯毎の状態を予想する情報を示す複数の数値情報を取得し、色相、彩度、明度の少なくとも一つを連続的に変化させた複数の色をそれぞれ異なる前記複数の数値情報に数値順に関連付けし、前記数値情報のそれぞれに対応した色を表示部に前記時間帯の順に並べて表示させる、情報表示方法によっても達成できる。
【０００９】
上記目的は、時間の経過に伴って変化する事象の、時間帯毎の状態を予想する情報を示す複数の数値情報を取得し、色相、彩度、明度の少なくとも一つを連続的に変化させた複数の色をそれぞれ異なる前記複数の数値情報に数値順に関連付けし、前記複数の数値情報のそれぞれに対応した色を表示部に前記時間帯の順に並べて表示させる、処理をコンピュータに実行させる情報表示プログラムによっても達成できる。
【発明の効果】
【００１０】
予想される天気の推移の把握が容易な時計、情報表示装置、情報表示方法、情報表示プログラムを提供できる。
【図面の簡単な説明】
【００１１】
【図１】図１は、本実施例の時計の正面図である。
【図２】図２は、本実施例の時計の内部構成を示した図である。
【図３】図３は、降水確率とＬＥＤの輝度との関係の説明図である。
【図４】図４は、目盛群Ｍが降水確率を表示している場合の時計の部分拡大図である。
【図５】図５は、変形例の時計の正面図である。
【図６】図６は、時計の内部構成を示した図である。
【図７】図７は、時計の部分拡大図である。
【図８】図８は、変形例の時計の正面図である。
【図９】図９は、変形例の時計の正面図である。
【図１０】図１０は、変形例の時計の正面図である。
【図１１】図１１は、変形例に係る時計の正面図である。
【図１２】図１２は、変形例に係る時計の正面図である。
【図１３】図１３は、変形例に係る時計の正面図である。
【図１４】図１４は、デジタル式の時計の正面図である。
【図１５】図１５は、スマートフォンの正面図である。
【図１６】図１６は、スマートフォンの内部構成を示した図である。
【発明を実施するための形態】
【００１２】
図１は、本実施例の時計の正面図である。時計Ａは、壁掛け時計であるが、これに限定されず、置時計、腕時計であってもよい。時計Ａは、ケース１０、ケース１０に保持された文字板２０、文字板２０の正面を回転する時針ＨＨ、分針ＭＨを含む。文字板２０には、時針ＨＨ、分針ＭＨの先端の軌跡に沿って円周上に目盛群Ｍが形成されている。
【００１３】
目盛群Ｍは、大きい大目盛１Ｍ〜１２Ｍと、隣接する大目盛間に形成された複数の小さい小目盛とを含む。大目盛１Ｍ〜１２Ｍは、３０度の等間隔毎に形成されている。図１においては、複数の小目盛のうちの一部についてのみ符号を付している。具体的には、大目盛１Ｍ、２Ｍ間にある小目盛１Ｍ１〜１Ｍ４、大目盛２Ｍ、３Ｍ間にあり大目盛２Ｍに隣接した小目盛２Ｍ１、大目盛１２Ｍ、１Ｍ間にあり大目盛１Ｍに隣接した小目盛１２Ｍ４、について符号を付している。小目盛１Ｍ１〜１Ｍ４は、大目盛１Ｍ、２Ｍ間の角度を５等分している。大目盛１Ｍ〜１２Ｍは、時を示す目盛である。大目盛１Ｍ〜１２Ｍの間隔は、時針ＨＨが１時間で移動する移動量に対応している。小目盛の間隔は、時針ＨＨが１２分で移動する移動量に対応している。各目盛は、文字板２０に形成された孔に光透過性を有したプラスチック又はガラスなどがはめ込まれて形成されている。時針ＨＨ、分針ＭＨは、現在時刻を表示する時刻表示部の一例である。尚、秒針を設けてもよい。
【００１４】
図２は、本実施例の時計Ａの内部構成を示した図である。時計Ａは、制御部８１、駆動部８２、駆動部８２によって発光されるＬＥＤ１Ｌ〜１２Ｌ、ＬＥＤ１Ｌ１〜１２Ｌ４、記憶部８３、気圧センサ８４、ムーブメント８５を含む。制御部８１、駆動部８２、記憶部８３は、たとえばケース１０内に配置されたプリント基板上に形成された電子回路によって実現される。制御部８１は、例えばＣＰＵ等を含む。記憶部８３は、例えばＲＡＭ等のメモリを含む。ムーブメント８５は、時針ＨＨ、分針ＭＨを回転駆動するための機構であり、複数のギア等から構成される。
【００１５】
ＬＥＤ１Ｌ〜１２Ｌは、それぞれ大目盛１Ｍ〜１２Ｍの背面側に配置されている。同様に、ＬＥＤ１Ｌ１〜１２Ｌ４は、それぞれ小目盛１Ｍ１〜１２Ｍ４の背面側に配置される。各ＬＥＤ１Ｌ〜１２Ｌの大きさは、各ＬＥＤ１Ｌ１〜１２Ｌ４よりも大きい。例えばＬＥＤ１Ｌが発光すると、大目盛１Ｍにはめ込まれた光透過性を有した部材を介してＬＥＤ１Ｌの光が外部へ照射される。これにより、大目盛１Ｍは発光する。その他の目盛も他のＬＥＤにより同様に発光する。ＬＥＤ１Ｌ〜１２Ｌ、１Ｌ１〜１２Ｌ４は、発光部の一例である。
【００１６】
これらＬＥＤは、同一色のものであり青色であるがこれ以外の色であってもよい。駆動部８２は、デューティが異なる駆動パルスを各ＬＥＤに印加することにより、各ＬＥＤを異なる輝度で発光させることが可能である。これらＬＥＤの輝度は、後述する予想された時間帯毎の降水確率に応じて調節される。
【００１７】
気圧センサ８４は、外気圧の時間変化を検出する。記憶部８３には、外気圧の時間変化に対応付けされた予想降水確率に関するデータベースが予め記憶されている。制御部８１は、気圧センサ８４で検出された外気圧の時間変化と、記憶部８３に記憶されたデータベースとを比較して、現在から１２時間以内の降水確率を予測する。制御部８１は、予測された時間帯毎の降水確率を数値情報として記憶部８３に記憶させる。予測された時間帯毎の降水確率は、天気情報に該当する。記憶部８３は、予想された時間帯毎に複数の天気情報をそれぞれ示す複数の数値情報を取得する取得部の一例である。記憶部８３は、例えば毎日所定の時刻、例えば０時００分及び１２時：００分に１２時間分の予想される降水確率を取得する。
【００１８】
図３は、降水確率とＬＥＤの輝度との関係の説明図である。例えば、予想降水確率が０パーセントの時間帯に対応するＬＥＤは、消灯状態にする。予想降水確率が１００パーセントの時間帯に対応するＬＥＤは、駆動パルスのデューティを１００パーセントにして発光させる。即ち、予想降水確率が０パーセントの時間帯に対応するＬＥＤは消灯し、予想降水確率が１００パーセントの時間帯に対応するＬＥＤは輝度が最大で発光される。予想降水確率が１０パーセント毎に上昇する毎に、発光するＬＥＤの輝度が上昇するように、駆動パルスのデューティが調節される。記憶部８３には、降水確率の数値とＬＥＤに印加する駆動パルスのデューティとが関連付けられたマップが格納されている。尚、図３においては、図面の表記上、網掛けによって輝度の大きさを示している。
【００１９】
このように、予想降水確率の数値が大きいほど、その時間帯に対応するＬＥＤは輝度が大きくなる。ＬＥＤの輝度の変化は、明度の変化に相当する。制御部８１は、このように予想された時間帯毎の複数の降水確率に関する数値情報に対応した色を、ＬＥＤ１Ｌ〜１２Ｌ、ＬＥＤ１Ｌ１〜１２Ｌ４に時間帯の順に表示させる。尚、駆動パルスのデューティの変化とＬＥＤの輝度とはリニアには変化しないため、例えば降水確率が５０パーセントの場合にはデューティは２０パーセント等になるように補正されている。
【００２０】
図４は、目盛群Ｍが降水確率を表示している場合の時計Ａの部分拡大図である。図４では、０時４８分の降水確率が０パーセント、１時００分での降水確率が１０パーセント、１時１２分の降水確率が５０パーセント、１時２４分の降水確率が１００パーセント、１時３６分の降水確率が７０パーセント、１時４８分の降水確率が３０パーセント、２時００分の降水確率が１０パーセント、２時１２分の降水確率が０パーセントと予報された場合を示している。尚、図４はあくまで目盛群Ｍが降水確率を表示する場合の例示図である。このように、ＬＥＤの輝度の強さと予想される降水確率の大きさとが関連付けされており、目盛群Ｍは降水確率に応じてその輝度の強さが調整される。
【００２１】
このように時計Ａの目盛群Ｍが時間帯毎の予測された天気に関する情報を表示することにより、ユーザは時間帯毎に変化する天気の推移を容易に把握することができる。また、同一色での輝度（明度）の相違によって降水確率の大きさを示しているため、ユーザに統一感のある印象を与えることができる。また、時針ＨＨ、分針ＭＨが示す現在時刻を把握するのと同時に予想される降水確率も把握することができる。また、現在時刻から何時間後に降水確率のピークとなるかといったことも、時針ＨＨと時針ＨＨ周囲に設けられた目盛群Ｍの発光状態により、容易に把握することができる。
【００２２】
上記のように、気温や湿度といった複数種類の天気に関する情報のうち、一種類の情報（上記実施例の場合には降水確率）を連続的に変化する同一色での輝度（明度）により示している。これにより、よりシンプル形態で一種類の天気に関する情報を示すことができ、ユーザはその情報を容易に把握することができる。例えば、所定の表示領域に、ある時間帯での気温、湿度、降水確率に関する複数の数値を表示させると、ユーザはこれら情報を容易に把握することができないおそれがある。更に、このような表示領域が時間帯毎に複数並べられていると、複数種類の天気に関する情報のうち一種類の情報のみを知りたいユーザにとっては、その情報を容易に把握できない。本実施例の場合、一種類の天気に関する情報を示すことにより、ユーザはその情報を容易に把握することができる。
【００２３】
また、目盛群Ｍの発光状態は、予想される天気情報によって変化する。従って、予想される天気情報が変化するたびに、発光している目盛の数や位置や、最も輝度が大きく発光している目盛の数や位置、目盛群Ｍが全体的に発光しているのか部分的に発光しているのか、などの発光状態が変化する。これにより、予想される天気情報が変化するたびに、ユーザに異なる印象を与えることができ、時計Ａは装飾性にも優れている。
【００２４】
また、各目盛に天気情報に関する数値を表示させる場合や、晴天、くもり、雨などを示す図柄を表示させる場合、時計の構成が複雑化する恐れがある。本実施例は、ＬＥＤの輝度のみを変更することによって天気情報を表示するので、構成が簡略化されている。
【００２５】
大目盛１Ｍ〜１２Ｍ、小目盛１Ｍ１等は、色相、彩度、明度の少なくとも一つが異なる色を表示可能であり、並んだ複数の表示領域の一例である。また、これら目盛群Ｍは、表示部の一例である。本実施例においては、ＬＥＤを使用して各目盛に表示される色を変化させているがこれに限定されない。例えば、文字板２０の背面側にＬＣＤやＥＬ等のディスプレイや、電子ペーパを配置して、各目盛に対応したディスプレイの一部分を所定の色で表示してもよい。尚、大目盛１Ｍ〜１２ＭのみをＬＥＤで発光させて、１時間毎の予想降水確率を各ＬＥＤの輝度によって表現してもよい。
【００２６】
上記実施例では、降水確率の大きいほど輝度が大きくなるようにＬＥＤを発光させている。しかしながらこれに限定されず、例えば降水確率が小さい順に輝度が大きくなるようにＬＥＤを発光させてもよい。例えばこの場合、赤やオレンジ色のＬＥＤを採用し、降水確率が小さいほど輝度が大きくなり降水確率が大きいほど輝度が小さくなるようにＬＥＤを発光させてもよい。
【００２７】
１２分毎に１２時間以内の予想された降水確率を取得し、１２分毎に予想される天気情報を更新して目盛群Ｍを発光させてもよい。また、現在時刻を基準として現在から過去６時間の降水確率と、現在から６時間後までの降水確率を表示してもよい。
【００２８】
現在時刻を基準として常に現在から１２時間後までの降水確率を表示してもよい。具体的には、時針ＨＨが所定の目盛を通過する前においては、時針ＨＨが通過前に予想されたその目盛が示す時刻での降水確率を表示させ、時針ＨＨがその目盛を通過した場合には、１２時間後のその目盛が示す時刻での降水確率を表示するようにしてもよい。
【００２９】
本実施例では、気圧センサ８４で計測した気圧の変化に基づいて予測した降水確率を複数のＬＥＤの輝度により表示した。しかしながら、例えばインターネットや電話回線、デジタル放送、携帯電話、センサーネットワークなどを介して得られた天気に関する情報を複数のＬＥＤの輝度によって表示してもよい。また、予想される天気に関する情報としては、降水確率以外に、曇量、降雨量、降雪確率、降雪量、湿度、温度、紫外線指数、風速、熱中症危険度、電力使用率、花粉飛散量等であってもよい。尚、これら情報は数値により示されるものであり、数値で表現可能な天気に関する情報であればこれら以外であってもよい。また、電力使用率も天気に関する情報に含まれる。この理由は、気温に応じて冷暖房に消費される電力が変わってくるため、予想される時間毎の電力使用率と予想される時間毎の気温とは一定の関係を有しているからである。予想される時間毎の電力使用率は、インターネットを介して取得できる。
【００３０】
また、スピーカを設け、現在時刻での予想降水確率に応じてスピーカから出力される音の種類や大きさを変更してもよい。例えば、予想降水確率が大きいほど、スピーカが出力する雨音が大きくなるようにしてもよい。
【００３１】
次に、変形例に係る時計について説明する。図５は、変形例の時計Ｂの正面図である。尚、変形例に係る時計については、本実施例の時計と類似の符号を付することにより重複する説明を省略する。時計Ｂの文字板２０Ｂには、目盛群Ｍの外側に所定の間隔をあけて目盛群ＭＢが形成されている。目盛群ＭＢは、中目盛１３Ｍ〜２４Ｍから構成される。各中目盛１３Ｍ〜２４Ｍの大きさは、大目盛１Ｍよりも小さく小目盛１Ｍ１よりも大きい。中目盛１３Ｍ〜２４Ｍは、それぞれ大目盛１Ｍ〜１２Ｍの径方向外側に位置している。即ち、中目盛１３Ｍ〜２４Ｍの間隔は、大目盛１Ｍ〜１２Ｍと同様に１時間に進む時針ＨＨの移動量に対応している。
【００３２】
図６は、時計Ｂの内部構成を示した図である。時計Ｂの内部構成は、時計Ａの内部構成に加えてＬＥＤ１３Ｌ〜２４Ｌが設けられている。ＬＥＤ１３Ｌ〜２４Ｌは、それぞれ中目盛１３Ｍ〜２４Ｍの背面側に配置される。ＬＥＤ１３Ｌ〜２４Ｌは、ＬＥＤ１Ｌ〜１２Ｌ、１Ｌ１〜１２Ｌ４等と同じ青色であるがこれに限定されない。例えば、ＬＥＤ１３Ｌ〜２４Ｌは、ＬＥＤ１Ｌ〜１２Ｌ、１Ｌ１〜１２Ｌ４と異なる色であってもよい。ＬＥＤ１３Ｌ〜２４Ｌの輝度も時間帯毎の予想された降水確率の大きさに対応付けられている。
【００３３】
例えば現在時刻が午前１０時０８分の場合、目盛群Ｍは同日の午前中の降水確率を示し、目盛群ＭＢは同日の午後の降水確率又は先日の午後の降水確率を示す。また、現在時刻が午後１０時０８分の場合、目盛群Ｍは本日の午後の降水確率を示し、目盛群ＭＢは次の日の午前の降水確率又は本日の午前の降水確率を示すようにしてもよい。この場合、例えば時刻が午後１２：００の時点で、目盛群Ｍと目盛群ＭＢの表示を切り替えてもよい。
【００３４】
図７は、時計Ｂの部分拡大図である。図７は、午前中に時計Ｂを観察した場合を示しており、目盛群ＭＢは午後の降水確率を示している。したがって、図７の場合、１３時に降水確率が２０パーセントであり、１４時には降水確率が８０パーセントと予想された場合を示している。このように、目盛群ＭＢが設けられていることにより、ユーザは２４時間分の降水確率の推移を容易に把握できる。
【００３５】
尚、目盛群ＭＢには、降水確率とは異なる天気情報を表示させてもよい。例えば、目盛群Ｍには現在時刻から１２時間先までの予想される降水確率を示し、目盛群ＭＢには現在時刻から１２時間先までの予想される気温を示してもよい。このように目盛群Ｍと目盛群ＭＢには種類が異なる天気に関する情報を表示してもよい。この場合、例えば目盛群Ｍを寒色系で表示し、目盛群ＭＢを暖色系で表示してもよい。このように、異なる天気情報をそれぞれ異なる目盛群Ｍ、ＭＢに表示させてもよい。
【００３６】
図８は、変形例の時計Ｃの正面図である。時計Ｃの文字板２０Ｃには、目盛群Ｍの径方向外側に目盛群ＭＣが設けられている。目盛群ＭＣは、中目盛１３ＭＣ〜２４ＭＣから構成される。中目盛１３ＭＣ〜２４ＭＣは、大目盛１Ｍ〜１２Ｍのそれぞれに間隔をおかずに径方向外側に設けられている。
【００３７】
図９は、変形例に係る時計Ｄの正面図である。図９に示すように、時計Ｄの目盛群ＭＤにおいては、大目盛１ＭＤ〜１２ＭＤの内側にそれぞれ中目盛１３ＭＤ〜２４ＭＤが設けられている。例えば大目盛１ＭＤ〜１２ＭＤは、午前中の降水確率を示し、中目盛１３ＭＤ〜２４ＭＤは午後の降水確率を示す。図１０は、時計Ｄの部分拡大図である。図１０は、１３時に降水確率が６０パーセントであり、１４時には降水確率が８０パーセントと予想された場合を示している。
【００３８】
図１１は、変形例に係る時計Ｅの正面図である。図１１に示すように、時針ＨＨ、分針ＭＨが設けられている側の文字板２０Ｅに加えて、文字板２０Ｅよりも小さい文字板４０Ｅが設けられている。文字板２０Ｅには目盛群Ｍが設けられ、文字板４０Ｅには目盛群ＭＥが設けられている。目盛群ＭＥは、目盛群Ｍを小さくしたものであり、複数の大目盛１３ＭＥ〜２４ＭＥと、符号を付していない複数の小目盛を含む。大目盛１３ＭＥ〜２４ＭＥにもそれぞれ発光可能なＬＥＤが設けられている。目盛群ＭＥの小目盛は発光しないものであってもよいし、目盛群ＭＥの複数の小目盛もそれぞれ発光するように複数のＬＥＤを設けてもよい。
【００３９】
例えば、現在時刻が午前の場合、目盛群Ｍは同日の午前の降水確率を示し、目盛群ＭＥは同日の午後の降水確率又は先日の午前の降水確率を示す。現在時刻が午後の場合、目盛群Ｍは同日の午後の降水確率を示し、目盛群ＭＥは次の日の午前の降水確率又は同日の午前の降水確率を示す。これによりユーザは２４時間分の予想降水確率の推移を容易に把握することができる。
【００４０】
図１２は、変形例に係る時計Ｆの正面図である。文字板２０Ｆには、目盛群Ｍと同心状に内側に目盛群ＭＦが設けられている。なお、図１２においては、構成に関する理解を容易にするために目盛群ＭＦと時針ＨＨおよび分針ＭＨとを重ねて表示しているが、実際には目盛群ＭＦは時針ＨＨおよび分針ＭＨの背後に配置されているので、時針ＨＨまたは分針ＭＨの背後にある目盛群ＭＦを視認することはできない。図１３は、変形例に係る時計Ｇの正面図である。文字板２０Ｇには、文字板２０Ｇの中心を囲わないように離れた位置に目盛群ＭＧが設けられている。
【００４１】
図１４は、デジタル式の時計Ｈの正面図である。時計Ｈは、矩形状のケース１０Ｈを有している。現在時刻を数字で表示する時刻表示部ＴＤの下部に、目盛群ＭＨ´が設けられている。目盛群ＭＨ´は、図１４では一部符号を付するのを省略しているが、一方向に並んだ複数の目盛１ＭＨ〜２４ＭＨを含む。目盛１ＭＨ〜２４ＭＨの背面側にそれぞれＬＥＤが配置されている。目盛１ＭＨ〜２４ＭＨは、複数の表示領域の一例である。目盛１ＭＨ〜２４ＭＨは、それぞれ１時間毎の予想された降水確率を表示する。これにより、ユーザは２４時間分の降水確率の推移を容易に把握することができる。このように、円周上に並んだ複数の目盛ではなく、直線状に並んだ複数の目盛により降水確率の推移を表示してもよい。尚、目盛群ＭＨ´は、２４個の目盛を有しているが、例えば１２個の目盛にして、１２時間の予想された降水確率を表示するようにしてもよい。
【００４２】
上記のように、時計に天気情報を表示する表示部を設けたが、本発明は時計に限定されない。例えば、本発明は、現在時刻を表示する現在時刻表示部が設けられていない装置であってもよい。例えば、現在の湿度を示す湿度計や温度を示す温度計に上記のような天気情報を示す表示部を設けてもよい。このような湿度計や温度家は天気情報表示装置の一例である。
【００４３】
次に、天気情報表示装置の一例として、スマートフォンを例に説明する。図１５は、スマートフォンＩの正面図である。スマートフォンＩのディスプレイＤＰに、図５に示したアナログ式の時計が表示されている。図１６は、スマートフォンＩの内部構成を示した図である。スマートフォンＩは、所定の画像を表示可能なディスプレイＤＰ、ディスプレイＤＰに重なるように配置され入力操作を受け付けるタッチパネルＴＰ、ディスプレイＤＰを駆動する駆動部９２、ＲＯＭ等のメモリ又はハードディスク等から構成される記憶部９３、インターネットを介して情報の送受信を行う通信部９４、を含む。制御部９１は、駆動部９２を制御してディスプレイＤＰに時計を表示させる。具体的には、ディスプレイＤＰに、時針ＨＨＩ、分針ＭＨＩ、目盛群ＭＩ、ＭＢＩの画像を表示させる。
【００４４】
制御部９１は、通信部９４を介してインターネットから得た予想された降水確率を取得して記憶部９３に記憶させる。記憶部９３は、取得部の一例である。制御部９１は、記憶部９３に記憶された予測された降水確率に対応した色を目盛群ＭＩ、ＭＢＩの目盛に表示させる。
【００４５】
尚、図１５に示すようなスマートフォンに用いられる液晶ディスプレイは、一部分のみを他の部分と異なる輝度で発光させることはできないため、本実施形態では、ディスプレイＤＰに表示される目盛群には、色相、彩度、明度の少なくとも一つを連続的に変化させた複数の色をそれぞれ表示すれようにしている。例えば、ディスプレイＤＰに色相を連続的に変化させた複数の色を表示する場合、降水確率の数値が大きくなる順に、暖色系、中性色系、寒色系に関連付けし、ディスプレイにこれらの色を時間帯順に並べて表示してもよい。また、降水確率の数値が大きくなる順に、青色等の色の彩度又は明度が大きくなるように関連付けしてもよい。
【００４６】
尚、ディスプレイＤＰに、図１や図８、９、１１〜１３に示したようなアナログ式の時計を表示してもよいし、図１４に示したようなデジタル式の時計を示してもよい。また、予想された天気に関する情報をディスプレイＤＰに時間帯順に表示していればよく、現在時刻を表示しなくてもよい。
【００４７】
また、ユーザのタッチパネルＴＰへの操作により時針ＨＨＩ、分針ＭＨＩを移動可能に表示し、時針ＨＨＩ、分針ＭＨＩを現在時刻よりも先に移動させて時針ＨＨＩ、分針ＭＨＩが示す時刻を基準として２４時間後までの予想降水確率を表示してもよい。
【００４８】
スマートフォンＩにおいても、予想される天気に関する情報として降水確率以外を表示してもよい。
【００４９】
スマートフォンＩの代わりに、携帯電話、タブレット形コンピュータ、ノート型コンピュータ、デスクトップコンピュータなどコンピュータ、ナビゲーション装置のような情報処理装置であってよい。このように天気情報表示装置の一例には、情報処理装置も含む。
【００５０】
尚、上記のスマートフォンＩが有する機能は、ＣＰＵ、ＲＯＭ、ＲＡＭ等を備える情報処理装置によって実現することができる。その場合、スマートフォンＩが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録できる。
【００５１】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他の情報処理装置にそのプログラムを転送することもできる。
【００５２】
以上本発明の好ましい一実施形態について詳述したが、本発明は係る特定の実施形態に限定されるものではなく、特許請求の範囲に記載された本発明の要旨の範囲内において、種々の変形・変更が可能である。
【００５３】
上記実施例では、時間の経過に伴って変化する事象として天気に関する情報を例に説明した。しかしながら、時間の経過に伴って変化する事象はこれに限定されない。例えば、事象として、所定区間での交通量や、電車等の公共車両の乗車率等であってもよい。交通量や乗車率も数値によって示すことができる。例えば、VICS（Vehicle Information and Communication System）を介して取得した情報に基づいて所定区間での交通量の統計データを生成し、この生成された統計データに基づいて、時間帯毎の予測交通量を色によって表示してもよい。また、乗車率の場合には、例えばインターネット等を介して取得した過去の乗車率の統計データに基づいて、時間帯毎の予測乗車率を色によって表示してもよい。
【符号の説明】
【００５４】
Ａ〜Ｈ  時計
Ｉ  スマートフォン
Ｍ、ＭＢ、ＭＣ、ＭＤ、ＭＥ、ＭＦ、ＭＨ´、ＭＩ、ＭＢＩ  目盛群（表示部）
１Ｍ〜１２Ｍ  大目盛
１Ｍ１〜１２Ｍ４  小目盛
１３Ｍ〜２４Ｍ  中目盛
ＨＨ  時針
ＭＨ  分針
１Ｌ〜２４Ｌ、１Ｌ１〜１２Ｌ４  ＬＥＤ（発光部）
ＤＰ  ディスプレイ（表示部）
８３、９３  記憶部（取得部）
８１、９１  制御部
【図１】
2014085202.tif 000003
【図２】
2014085202.tif 000004
【図３】
2014085202.tif 000005
【図４】
2014085202.tif 000006
【図５】
2014085202.tif 000007
【図６】
2014085202.tif 000008
【図７】
2014085202.tif 000009
【図８】
2014085202.tif 000010
【図９】
2014085202.tif 000011
【図１０】
2014085202.tif 000012
【図１１】
2014085202.tif 000013
【図１２】
2014085202.tif 000014
【図１３】
2014085202.tif 000015
【図１４】
2014085202.tif 000016
【図１５】
2014085202.tif 000017
【図１６】
2014085202.tif 000018